(57)【要約】【課題】図柄制御装置や表示灯制御装置および音制御装置などの演出に関する制御を主制御装置からのコマンドで統括制御することによって、主制御装置の制御負担軽減化とパチンコ機の機種変更に関する主制御装置の共通化とを図る。【解決手段】主制御装置２の当たり外れ抽選手段１７が始動入賞に伴い当たり外れの抽選処理を実行することによって当たりや外れを含む変動パターンを抽選して中継制御装置３に出力し、中継制御装置３の予告抽選手段１９が主制御装置２からの変動パターンに伴い予告抽選処理を実行することによって図柄表示器１１、表示灯１２、スピーカ１３のうちのどの機器を使用して予告を行うまたは予告を行わないかを抽選して図柄制御装置４と表示灯制御装置５および音制御装置６に出力する。【選択図】　　　　図１
2004000527.tif 000002
【特許請求の範囲】
【請求項１】
始動入賞に伴い図柄表示器や表示灯およびスピーカを用いて行われる演出を制御するパチンコ機の遊技制御装置において、始動入賞に伴う遊技制御の全般を司る主制御装置と、図柄表示器を制御する図柄制御装置と表示灯を制御する表示灯制御装置およびスピーカを制御する音制御装置を統括する中継制御装置とを備え、主制御装置が始動入賞に伴い当たり外れを決める当たり外れ抽選手段を備え、中継制御装置が当たり外れ抽選手段による当たり外れ抽選結果に伴い予告するか否かを決める予告抽選手段を備えたことを特徴とするパチンコ機の遊技制御装置。
【請求項２】
中継制御装置が予告抽選処理結果である予告のコマンドを図柄制御装置、表示灯制御装置、音制御装置に個別に振り分けて出力するコマンド割付手段を備えたことを特徴とする請求項１記載のパチンコ機の遊技制御装置。
【請求項３】
中継制御装置が予告を行うまたは予告を行わないかの発生する確率を決める予告抽選知識と、この予告を行わないかの発生する確率を決める予告抽選知識で予告を行うことが抽選された場合に使用する機器を決める予告抽選知識とを備えたことを特徴とする請求項１記載のパチンコ機の遊技制御装置。
【発明の詳細な説明】
【０００１】
【発明の属する技術分野】
本発明はパチンコ機における始動入賞に伴い図柄表示器や表示灯およびスピーカを用いて行われる演出を制御する遊技制御装置に関する。
【０００２】
【従来の技術】
従来のパチンコ機における遊技制御装置は、球が始動入賞部品に入賞し、始動入賞球検出器が始動入賞信号を主制御装置に出力するのに伴い、主制御装置が抽選処理および図柄変動処理を実行する。抽選処理では主制御装置が始動入賞信号の入力タイミングでカウンタ値を乱数値として取得し、取得した乱数値を主制御装置に格納された抽選知識に照合して当たりや外れおよび演出を抽選し、その抽選結果を主制御装置のＲＡＭのようなメモリに記憶する。この記憶された抽選結果における演出はリーチや予告あるいは当たりなどを図柄表示器や表示灯およびスピーカを駆動して遊技者に知らせる情報である。図柄変動処理では主制御装置が始動入賞信号の入賞に伴い図柄変動の開始を図柄制御装置に出力した後に図柄変動の停止を出力する。この図柄変動の開始から停止までの間は、主制御装置が抽選結果として記憶された演出に基づき種々のコマンドを図柄制御装置や表示灯制御装置および音制御装置に出力し、図柄制御装置が図柄表示器を制御し、表示灯制御装置が表示灯を制御し、音制御装置がスピーカを制御する。これによって、図柄表示器が図柄変動を開始した後、図柄表示器や表示灯およびスピーカが抽選結果を反映するリーチや予告（当たる可能性を告げる）を図柄や光および音で遊技者に知らせるように動作する。そして、図柄表示器による図柄変動が停止する場合、主制御装置が抽選結果を反映する当たりまたは外れのコマンドを図柄制御装置に出力し、当該主制御装置からのコマンドに基づき図柄制御装置が図柄表示器を主制御装置に記憶された抽選結果を反映するべく図柄を停止する。つまり、抽選結果として当たりが主制御装置に記憶されている場合、図柄表示器で停止して確定した図柄が主制御装置のＲＯＭのようなメモリに格納された当たり図柄になった後、主制御装置が大当たり遊技処理を実行した後に上記始動入賞に伴う１回の一連の遊技制御を終了する。この大当たり遊技処理では主制御装置がアタッカや大入賞口と呼ばれるような可変入賞部品の開閉体を所定時間または所定回数開閉すべく開閉駆動源を駆動する一方、主制御装置が抽選結果として記憶された当たりに基づくコマンドを表示灯制御装置および音制御装置に出力し、表示灯制御装置が表示灯を制御し、音制御装置がスピーカを制御する。抽選結果として外れが主制御装置に記憶されている場合、図柄表示器で停止して確定した図柄が主制御装置のＲＯＭのようなメモリに格納された当たり図柄以外になった後、主制御装置が上記始動入賞に伴う１回の一連の遊技制御を終了する（例えば、特許文献１参照）。
【０００３】
【特許文献１】
特開２００１−１５７７５８号公報（第１頁、要約、図５）
【０００４】
【発明が解決しようとする課題】
しかしながら、前記従来例は遊技制御装置が主制御装置、図柄制御装置、表示灯制御装置、音制御装置に機能分割されて別体に構成されており、主制御装置が始動入賞に伴う遊技全般の処理を行うとともにその処理結果に基づくコマンドを図柄制御装置、表示灯制御装置、音制御装置に出力し、図柄制御装置が図柄変動によるリーチや予告などに関する演出の処理を実行して図柄表示器を制御し、表示灯制御装置がリーチや予告および大当たりなどに関する演出の処理を実行して表示灯を制御し、音制御装置がリーチや予告および大当たりなどに関する演出の処理を実行してスピーカを制御する構造である。換言すると、前記従来の遊技制御装置では、主制御装置が始動入賞に伴う遊技全般の処理を行い、図柄制御装置と表示灯制御装置および音制御装置が始動入賞に伴う一連の遊技における演出の処理を行う構造である。このため、始動入賞に伴う一連の遊技に関する主制御装置の制御負担が重いばかりでなく、パチンコ機の機種変更を行う場合に主制御装置を新旧の機種で共通に使用することができないという問題点があった。
【０００５】
そこで、本発明は、図柄制御装置や表示灯制御装置および音制御装置などの演出に関する制御を主制御装置からのコマンドで統括制御することによって、主制御装置の制御負担を軽減することができるとともに、パチンコ機の機種変更に関する主制御装置の共通化も図ることができるパチンコ機の遊技制御装置を提供するものである。
【０００６】
【課題を解決するための手段】
本発明にあっては、始動入賞に伴い図柄表示器や表示灯およびスピーカを用いて行われる演出を制御するパチンコ機の遊技制御装置において、始動入賞に伴う遊技制御の全般を司る主制御装置と、図柄表示器を制御する図柄制御装置と表示灯を制御する表示灯制御装置およびスピーカを制御する音制御装置を統括する中継制御装置とを備え、主制御装置が始動入賞に伴い当たり外れを決める当たり外れ抽選手段を備え、中継制御装置が当たり外れ抽選手段による当たり外れ抽選結果に伴い予告するか否かを決める予告抽選手段を備えたことによって、中継制御装置が始動入賞に伴う主制御装置からのコマンドで図柄制御装置、表示灯制御装置、音制御装置などの演出に関する制御を統括するので、主制御装置の制御負担を軽減することができ、パチンコ機の機種変更に関し、主制御装置から中継制御装置に出力されるコマンドを変更せず、その変更しないコマンドに対する中継制御装置での処理手順を変更すれば、主制御装置の共通化を図ることができる。また、本発明にあっては、中継制御装置が予告抽選処理結果である予告のコマンドを図柄制御装置、表示灯制御装置、音制御装置に個別に振り分けて出力するコマンド割付手段を備えれば、コマンド割付手段が予告のコマンドを図柄制御装置、表示灯制御装置、音制御装置に適切に振り分けて出力することができる。また、本発明にあっては、中継制御装置が予告を行うまたは予告を行わないかの発生する確率を決める予告抽選知識と、この予告を行わないかの発生する確率を決める予告抽選知識で予告を行うことが抽選された場合に使用する機器を決める予告抽選知識とを備えれば、予告抽選手段が予告を行うか否かを抽選し、その抽選結果として予告を行う場合に使用する機器を抽選することができるので、予告抽選処理が簡単となる。
【０００７】
【発明の実施の形態】
図１−図６は第１実施形態であって、図１はパチンコ機の遊技制御装置１を示し、図２は当たり外れ抽選知識１８を示し、図３は予告抽選知識２０を示し、図４は主制御装置２における当たり外れ抽選処理を示し、図５は中継制御装置３における予告抽選処理を示し、図６はパチンコ機を示す。
【０００８】
図１を参照し、パチンコ機の遊技制御装置１について説明する。遊技制御装置１は主制御装置２、中継制御装置３、図柄制御装置４、表示灯制御装置５、音制御装置６、払出発射制御装置７のそれぞれに機能分割された形態である。主制御装置２、中継制御装置３、図柄制御装置４、表示灯制御装置５、音制御装置６、払出発射制御装置７は互いに別体に形成された透過性を有する合成樹脂からなるケースの内部にマイクロコンピュータや入出力インターフェースなどの電気部品の実装された制御基板を格納した形態に構成される。主制御装置２の入力部には始動入賞球検出器９、一般入賞球検出器、特定入賞球検出器、普通入賞球検出器が個別に接続される。主制御装置２の出力部には中継制御装置３の入力部と払出発射制御装置７の入力部とが個別に接続される。中継制御装置３の出力部には図柄制御装置４の入力部と表示灯制御装置５の入力部および音制御装置６の入力部が個別に接続される。図柄制御装置４の出力部には図柄表示器１１が接続され、表示灯制御装置５の出力部には表示灯１２が接続され、音制御装置６の出力部にはスピーカ１３が接続され、払出発射制御装置７の出力部には払出機構１４の払出駆動源および発射機構１５の発射駆動源が接続される。
【０００９】
主制御装置２は遊技制御の全般を司るものであって、主制御装置２に内蔵されたマイクロコンピュータでは入力機器８から入力された遊技に関連する検出信号が入力すると、ＣＰＵがＲＯＭに設定されたプログラムに基づきＲＡＭをメモリとして入力処理・エラー処理・図柄制御処理・賞球制御処理・コマンドセット処理などの遊技全般の処理を実行してコマンドを中継制御装置３と払出発射制御装置７とに個別に出力する。入力機器８には始動入賞球検出器９以外に図外の特定入賞球検出器、普通入賞球検出器、一般入賞球検出器、補給球検出器、待機球検出器、オーバーフロー球検出器、払出球検出器、発射操作検出器などが有る。よって、入力機器８からの検出信号が主制御装置２の入力インターフェースにおけるどの入力ポートに入力されたかの位置の違いを主制御装置２が検出することによって、入力された検出信号が入力機器８のうちのどれからの信号であるかを主制御装置２が特定（検出）する。主制御装置２が始動入賞球検出器９からの検出信号により図柄変動処理および当たり外れ決定表示の処理を行うことによって、コマンドを中継制御装置３に出力する。主制御装置２から中継制御装置３に出力されるコマンドの種類には、図柄変動開始、変動パターン、図柄変動停止などがある。主制御装置２から払出発射制御装置７に出力されるコマンドの種類には、賞球停止、賞球許可、発射禁止、発射許可、賞球数指示などがある。
【００１０】
中継制御装置３は図柄制御装置４と表示灯制御装置５および音制御装置６を統括するものであって、主制御装置２から入力されたコマンドにより図柄表示器１１による表示、表示灯１２による表示、スピーカ１３による表示のためのコンピュータによる制御処理を行い、その処理結果であるコマンドを図柄制御装置４、表示灯制御装置５、音制御装置６に個別に出力する。図柄表示器１１による表示、表示灯１２による表示、スピーカ１３による表示は始動入賞に伴う当たり外れ抽選の結果を遊技者に知らせるための演出である。中継制御装置３から図柄制御装置４に出力されるコマンドの種類にはデモ表示、図柄変動開始、図柄変動停止、リーチ決定表示、大当たり決定表示、可変入賞部品特定入賞表示、大当たり終了表示、カウントエラー表示、賞球エラー表示などがある。中継制御装置３から表示灯制御装置５に出力されるコマンドの種類には可変入賞部品特定入賞表示、可変入賞部品特定入賞表示消灯、保留記憶１個表示、保留記憶２個表示、保留記憶３個表示、保留記憶表４個表示、保留記憶表示全消灯、賞球表示、賞球表示消灯、完了表示、完了表示消灯などがある。中継制御装置３から音制御装置６に出力されるコマンドの種類には図柄始動口入賞音、図柄変動中音、リーチ音、図柄停止音、大当たり決定音、大当たり中音、大当たり終了音、エラー音などがある。
【００１１】
図柄制御装置４は中継制御装置３から入力されたコマンドにより図柄を図柄表示器１１に表示するためのコンピュータによる制御処理を行い、その処理結果を図柄表示器１１に出力する。図柄表示器１１はパチンコ機のセンター役物として設けられ、液晶表示器やＬＥＤ又はＣＲＴ或いはプラズマディスプレイのように電気的に表示形態の変えられる画像を表示画面に表示する表示器である。そして、図柄表示器１１が図柄を可変表示した後に停止し、その停止で確定した図柄が主制御装置２に定められた当たり図柄である場合、主制御装置２は駆動信号を図６の可変入賞部品３２の開閉体３７を駆動する開閉駆動源３８に出力する。
【００１２】
表示灯制御装置５は中継制御装置３から入力されたコマンドにより表示灯を点灯又は点滅するためのコンピュータによる制御処理を行い、その処理結果で表示灯を点灯・消灯・点滅する。表示灯は図６の遊技盤２９や遊技機枠２１に設けられる。音制御装置６は中継制御装置３から入力されたコマンドにより音をスピーカ１３で発生するためのコンピュータによる制御処理を行い、その処理結果でスピーカ１３を駆動する。スピーカ１３は遊技機枠２１または遊技機枠２１に取り付けられた遊技部品に設けられる。払出発射制御装置７は主制御装置２から入力されたコマンドにより賞球を払出すためのコンピュータによる制御処理を行い、その処理結果で球払出機構１４の払出駆動源を駆動する一方、主制御装置２から発射許可が入力された状態において遊技者が図６の発射操作機構２４の発射操作部を操作することにより発射機構１５の発射駆動源を発射操作部の操作量に応じて駆動するための制御処理を行い、その処理結果で発射駆動源を分間１００回未満に定められた所定回数駆動する。
【００１３】
第１実施形態では、主制御装置２が始動入賞に伴い当たり外れの抽選処理を実行することによって当たりや外れを含む変動パターンを抽選して中継制御装置３に出力し、中継制御装置３が主制御装置２からの変動パターンに伴い予告抽選処理を実行することによって図柄表示器１１、表示灯１２、スピーカ１３のうちのどの機器を使用して予告を行うまたは予告を行わないかを抽選して図柄制御装置４と表示灯制御装置５および音制御装置６に出力する特徴を有する。このため、主制御装置２はマイクロコンピュータによる処理で具現化される入賞検出手段１６、当たり外れ抽選手段１７を備え、ＲＯＭに格納された当たり外れ抽選知識１８を備える。当たり外れ抽選知識１８は図２にも示すように乱数値と当たりや外れを含む変動パターンとの関係を規定したデータテーブルやデータマップである。中継制御装置３はマイクロコンピュータによる処理で具現化される予告抽選手段１９を備え、ＲＯＭに格納された予告抽選知識２０に備える。予告抽選知識２０は図３にも示すように変動パターン０−Ｎ（自然数）のそれぞれに対応し、乱数値と予告有無との関係を規定したデータテーブルやデータマップである。図２および図３におけるＮは自然数である。
【００１４】
図６を参照し、パチンコ機について説明する。パチンコ機は遊技機枠２１の前面に前飾り２２や皿２３および発射操作機構２４を備える。前飾り２２はガラスや合成樹脂からなる透過性パネル２５で閉鎖された開口部２６を有し、開口部２６よりも上部にトップランプ２７を有し、開口部２６よりも左右側部に放音孔部２８を有する。遊技機枠２１の内部には遊技盤２９が格納される。遊技盤２９にはガイドレール３０、始動入賞部品３１、図柄表示器１１、可変入賞部品３２、サイドランプ３３、完了ランプ３４、賞球ランプ３５、アウト口３６、図外の一般入賞部品、図外の遊技釘を備える。始動入賞部品３１、図柄表示器１１、可変入賞部品３２、サイドランプ３３、アウト口３６、図外の一般入賞部品、図外の遊技釘はガイドレール３０で囲まれた内側領域に配置される。遊技盤２９が遊技機枠２１の内部に格納され、前飾り２２が閉じられることによって、ガイドレール３０、始動入賞部品３１、図柄表示器１１、可変入賞部品３２、サイドランプ３３、完了ランプ３４、賞球ランプ３５、アウト口３６、図外の一般入賞部品、図外の遊技釘が遊技機枠２１の前側から透過性パネル２５を通して視認されるようになっている。ガイドレール３０で囲まれた内側領域と透過性パネル２５との間に形成された空間が球の飛び交う遊技領域である。図１の主制御装置２、中継制御装置３、図柄制御装置４、表示灯制御装置５、音制御装置６、払出発射制御装置７からなる遊技制御装置１は遊技機枠２１の裏側または遊技盤２９の裏側に取り付けられる。払出機構１４は遊技機枠２１の裏側に取り付けられる。
【００１５】
そして、球が皿２３に入れられ、遊技制御装置１が電力供給で起動した状態において、遊技者が発射操作機構２４を操作すると、図１の払出発射制御装置７が発射機構１５を操作量に応じた発射出力で駆動し、発射機構１５が皿２３から供給された球を１個ずつ遊技領域に発射する。遊技領域に発射された球が図４の始動入賞部品３１に入賞すると、図１の始動入賞球検出器９が始動入賞信号を主制御装置２に出力し、主制御装置２の入賞検出手段１６が始動入賞信号を検出すると、入賞検出手段１６が図柄変動開始のコマンドを中継制御装置３に出力するとともに始動入賞検出信号を当たり外れ抽選手段１７に転送する。これによって、図１の中継制御装置３が図柄制御装置４に図柄変動開始のコマンドを出力し、図柄制御装置４が図柄表示器１１を制御し、図柄表示器１１が図柄変動表示を開始する。これと並行し、図４のステップ４０１に示す上記入賞検出手段１６による始動入賞信号の検出に伴い、当たり外れ抽選手段１７が図４のステップ４０２において上記始動入賞信号の入力タイミングでカウンタのカウンタ値を乱数値として取得し、取得した乱数値を主制御装置２のＲＯＭに格納された当たり外れ抽選知識１８に照合して変動パターン０−Ｎのいずれか１つを抽選してＲＡＭに抽選結果として記憶し、図４のステップ４０３において記憶した抽選結果に相当する変動パターンのコマンドを中継制御装置３に出力する。
【００１６】
中継制御装置３の予告抽選手段１９が図５のステップ５０１において主制御装置２から変動パターンのコマンドを検出するのに伴い当該コマンドに対応する予告抽選知識を抽出する一方、図５のステップ５０２において上記コマンドの入力タイミングでカウンタのカウンタ値を乱数値として取得し、取得した乱数値を上記抽出した予告抽選知識２０に照合して図柄表示器１１、表示灯１２、スピーカ１３のうちのどの機器を使用して予告を行うまたは予告を行わないかを抽選してＲＡＭに抽選結果として記憶する。記憶した抽選結果が予告を行う場合には予告抽選手段１９が図５のステップ５０３において記憶した抽選結果に基づく予告コマンドを図柄制御装置４と表示灯制御装置５および音制御装置６に個別に出力し、記憶した抽選結果が予告を行わない場合には予告抽選手段１９が抽選結果に基づく予告コマンドの出力を行わない。
【００１７】
前記予告抽選手段１９の動作について図３を用いて詳述する。図３では予告抽選知識２０を変動パターン０−Ｎに対する図柄表示器１１、表示灯１２、スピーカ１３のうちのどの機器を使用して予告を行うまたは予告を行わないかの発生する確率として示してある。しかしながら、変動パターン０−Ｎのそれぞれに対応する予告抽選知識２０は乱数値と図柄表示器１１、表示灯１２、スピーカ１３のうちのどの機器を使用して予告を行うまたは予告を行わないとの関係を規定している。例えば、変動パターン０に対応する予告抽選知識２０において、図柄表示器１１と表示灯１２およびスピーカ（図３では音と表記）１３を使用して予告を行う確率が５／１００は乱数値が１００個ある場合に「１」、「１０」、「２０」、「３０」、「５０」の５個の乱数値に対応する欄に図柄表示器１１と表示灯１２およびスピーカ１３を使用して予告を行うことを示すデータが書き込まれており、図柄表示器１１およびスピーカ１３を使用して予告を行う確率が１／１００は乱数値が１００個ある場合に「２」の１個の乱数値に対応する欄に図柄表示器１１およびスピーカ１３を使用して予告を行うことを示すデータが書き込まれており、図柄表示器１１を使用して予告を行う確率が１／１００は乱数値が１００個ある場合に「３」の１個の乱数値に対応する欄に図柄表示器１１を使用して予告を行うことを示すデータが書き込まれており、表示灯１２およびスピーカ１３とを使用して予告を行う確率が１／１００は乱数値が１００個ある場合に「１１」の１個の乱数値に対応する欄に表示灯１２およびスピーカ１３を使用して予告を行うことを示すデータが書き込まれており、スピーカ１３を使用して予告を行う確率が１／１００は乱数値が１００個ある場合に「２１」の１個の乱数値に対応する欄にスピーカ１３を使用して予告を行うことを示すデータが書き込まれており、図柄表示器１１および表示灯１２を使用して予告を行う確率が１／１００は乱数値が１００個ある場合に「３１」の１個の乱数値に対応する欄に図柄表示器１１および表示灯１２を使用して予告を行うことを示すデータが書き込まれており、予告なしの確率が９０／１００は乱数値が１００個ある場合に上記「１」、「２」、「３」、「１０」、「１１」、「２０」、「２１」、「３０」、「３１」、「５０」など以外の９０個の乱数値に対応する欄に予告を行わないことを示すデータが書き込まれている。
【００１８】
よって、前記予告抽選手段１９が主制御装置２からのコマンドで変動パターン０に対応する予備抽選知識を抽出し、乱数値「１」、「１０」、「２０」、「３０」、「５０」のいずれかを１つを取得した場合に図柄表示器１１と表示灯１２およびスピーカ１３を使用して予告を行うことを抽選し、乱数値「２」を取得した場合に図柄表示器１１およびスピーカ１３を使用して予告を行うことを抽選し、乱数値「３」を取得した場合に図柄表示器１１を使用して予告を行うことを抽選し、乱数値「１１」を取得した場合に表示灯１２およびスピーカ１３を使用して予告を行うことを抽選し、乱数値「２１」を取得した場合にスピーカ１３を使用して予告を行うことを抽選し、乱数値「３１」を取得した場合に図柄表示器１１および表示灯１２を使用して予告を行うこと抽選し、乱数値「０」、「４」−「９」、「１２」−「１９」、「２２」−「２９」、「３２」−「４９」、「５１」−「９９」のいずれかを１つを取得した場合に予告を行わないことを抽選する。
【００１９】
そして、記憶した抽選結果が図柄表示器１１と表示灯１２およびスピーカ１３の全部を使用する場合は予告抽選手段１９が記憶した抽選結果に相当する予告のコマンドを図柄制御装置４と表示灯制御装置５および音制御装置６に個別に出力し、記憶した抽選結果が図柄表示器１１とスピーカ１３とを使用する場合は予告抽選手段１９が記憶した抽選結果に相当する予告のコマンドを図柄制御装置４と音制御装置６とに個別に出力し、記憶した抽選結果が図柄表示器１１だけを使用する場合は予告抽選手段１９が記憶した抽選結果に相当する予告のコマンドを図柄制御装置４に出力し、記憶した抽選結果が表示灯１２とスピーカ１３とを使用する場合は予告抽選手段１９が記憶した抽選結果に相当する予告のコマンドを表示灯制御装置５と音制御装置６とに個別に出力する。
【００２０】
第１実施形態によれば、中継制御装置３が始動入賞に伴う主制御装置２からのコマンドで図柄制御装置４、表示灯制御装置５、音制御装置６などの演出に関する制御を統括するので、主制御装置２の制御負担を軽減することができる。また、中継制御装置３が始動入賞に伴う主制御装置２からのコマンドで図柄制御装置４、表示灯制御装置５、音制御装置６などの演出に関する制御を統括することによって、パチンコ機の機種変更に関し、主制御装置２から中継制御装置３に出力されるコマンドを変更せず、その変更しないコマンドに対する中継制御装置３での処理手順を変更すれば、主制御装置２の共通化を図ることができる。
【００２１】
一方、図１における主制御装置２の当たり外れ抽選手段１７による当たり外れ抽選処理で当たりが抽選されている場合、前記予告を含む演出が終了し、主制御装置２に設定されている確定時期になると、主制御装置２が当たりを含む図柄変動停止のコマンドを中継制御装置３に出力し、中継制御装置３が図柄制御装置４に当たり図柄として設定された図柄で図柄変動を停止するためのコマンドを出力することで、図柄制御装置４が図柄表示器１１を主制御装置２に記憶された抽選結果を反映するべく図柄を停止する。つまり、当たり外れ抽選結果として当たりが主制御装置２に記憶されている場合、図柄表示器１１で停止して確定した図柄が図柄制御装置のＲＯＭのようなメモリに格納された当たり図柄になった後、主制御装置２が図６の可変入賞部品３２の開閉体３７を所定時間または所定回数開閉すべく開閉駆動源３８を駆動する大当たり遊技処理を実行した後に上記始動入賞に伴う１回の一連の遊技制御を終了する。この大当たり遊技処理では図１の主制御装置２が図柄制御処理中の大当たり演出のためのコマンドを中継制御装置３に出力し、中継制御装置３が上記主制御装置２からの大当たり演出のためのコマンドに基づきコマンドを表示灯制御装置５および音制御装置６に出力し、表示灯制御装置５が表示灯１２を制御し、音制御装置６がスピーカ１３を制御する。この大当たり遊技処理中において、図６の開閉体３７の開放中に球が遊技領域から可変入賞部品３２の内部における図外の特定入賞口または普通入賞口に入賞し、図外の特定入賞球検出器または普通入賞球検出器が入賞信号を図１の主制御装置２に出力することで、主制御装置２が賞球のコマンドを払出発射制御装置７に出力し、払出発射制御装置７が払出機構１４の払出駆動源を駆動し、払出機構１４が賞球としての球を図２の遊技機枠２１の裏側から前側の皿２５に払い出す。当たり外れ抽選処理結果として外れが主制御装置２に記憶されている場合、図柄表示器１１で停止して確定した図柄が図柄制御装置のＲＯＭのようなメモリに格納された当たり図柄以外になった後、主制御装置２が上記始動入賞に伴う１回の一連の遊技制御を終了する。
【００２２】
図７は第２実施形態に係るパチンコ機の遊技制御装置１を示す。第２実施形態は図７に示すように中継制御装置３が出力インターフェースとしてコマンド割付手段４１を備え、コマンド割付手段４１が中継制御装置３のマイクロコンピュータから出力される処理結果である予告のコマンドを記憶しておき、中継制御装置３のマイクロコンピュータから出力される振分出力によって予告のコマンドを図柄制御装置４、表示灯制御装置５、音制御装置６に個別に振り分けて出力する。例えば、図柄制御装置４からの出力に対する図柄表示器１１の動作遅れ時間、表示灯制御装置５からの出力に対する表示灯１２の動作遅れ時間、音制御装置６からの出力に対するスピーカ１３の動作遅れ時間のそれぞれに基づく動作開始時間の違いを当該マイクロコンピュータのＲＯＭに振分知識として格納しておき、当該振分知識に基づき、中継制御装置３のマイクロコンピュータが振分出力をコマンド割付手段４１に出力することによって、コマンド割付手段４１が予告のコマンドを図柄制御装置４、表示灯制御装置５、音制御装置６に適切に振り分けて出力することができる。
【００２３】
図８は第３実施形態に係る中継制御装置３における予告抽選手段１９で使用する予告抽選知識４２；４３を示す。予告抽選知識（第１予告抽選知識）４２は変動パターン０−Ｎに対する予告を行うまたは予告を行わないかの発生する確率を決めるものであって、変動パターン０−Ｎのそれぞれに対応する予告抽選知識４２は乱数値と予告有無との関係を規定したデータテーブルやデータマップである。しかしながら、予告抽選知識４２は乱数値と予告を行うまたは予告を行わないとの関係を規定している。例えば、予告抽選知識４２において、変動パターン０に対応する予告を行う確率が１／１０は乱数値が１０個ある場合に「１」の１個の乱数値に対応する欄に予告を行うことを示すデータが書き込まれており、変動パターン１に対応する予告を行う確率が３／１０は乱数値が１０個ある場合に「１」、「２」、「３」の３個の乱数値に対応する欄に予告を行うことを示すデータが書き込まれており、変動パターンＮに対応する予告を行う確率が９／１０は乱数値が１０個ある場合に「１」−「９」の９個の乱数値に対応する欄に予告を行うことを示すデータが書き込まれている。予告抽選知識（第２予告抽選知識）４３は予告抽選知識４２で予告を行うことが抽選された場合に使用する機器を決めるものであって、変動パターン０−Ｎのそれぞれに対応する予告抽選知識４３は乱数値と使用する機器との関係を規定したデータテーブルやデータマップである。変動パターン０−Ｎに対する図柄表示器１１、表示灯１２、スピーカ１３のうちのどの機器を使用するかが発生する確率として示してある。しかしながら、予告抽選知識４３は乱数値と使用する機器との関係を規定している。例えば、変動パターン０に対応する予告抽選知識４３において、図柄表示器１１と表示灯１２およびスピーカ（図８では音と表記）１３を使用して予告を行う確率が４／１０は乱数値が１０個ある場合に「１」、「２」、「３」、「４」の４個の乱数値に対応する欄に図柄表示器１１と表示灯１２およびスピーカ１３を使用することを示すデータが書き込まれており、図柄表示器１１およびスピーカ１３を使用して予告を行う確率が１／１０は乱数値が１０個ある場合に「５」の１個の乱数値に対応する欄に図柄表示器１１およびスピーカ１３を使用することを示すデータが書き込まれており、図柄表示器１１を使用して予告を行う確率が１／１０は乱数値が１０個ある場合に「６」の１個の乱数値に対応する欄に図柄表示器１１を使用することを示すデータが書き込まれており、表示灯１２およびスピーカ１３を使用して予告を行う確率が１／１０は乱数値が１０個ある場合に「７」の１個の乱数値に対応する欄に表示灯１２およびスピーカ１３を使用することを示すデータが書き込まれており、スピーカ１３を使用して予告を行う確率が１／１０は乱数値が１０個ある場合に「８」の１個の乱数値に対応する欄にスピーカ１３を使用することを示すデータが書き込まれており、表示灯１２を使用して予告を行う確率が１／１０は乱数値が１０個ある場合に「９」の１個の乱数値に対応する欄に表示灯１２を使用することを示すデータが書き込まれており、図柄表示器１１および表示灯１２を使用して予告を行う確率が１／１０は乱数値が１０個ある場合に「０」の１個の乱数値に対応する欄に図柄表示器１１および表示灯１２を使用することを示すデータが書き込まれている。よって、第３実施形態の場合は予告抽選手段１９が予告抽選知識４２で予告を行うか否かを抽選し、その抽選結果として予告を行う場合に、予告抽選手段１９が予告抽選知識４３で予告を行う場合に使用する機器を抽選するので、予告抽選処理が簡単となる。
【図面の簡単な説明】
【図１】第１実施形態のパチンコ機の遊技制御装置を示す模式図。
【図２】第１実施形態の当たり外れ抽選知識を示す模式図。
【図３】第１実施形態の予告抽選知識を示す模式図。
【図４】第１実施形態の当たり外れ抽選処理を示すフローチャート。
【図５】第１実施形態の予告抽選処理を示すフローチャート。
【図６】第１実施形態のパチンコ機を示す模式図。
【図７】第２実施形態のパチンコ機の遊技制御装置を示す模式図。
【図８】第３実施形態の予告抽選知識を示す模式図。
【符号の説明】
１　遊技制御装置
２　主制御装置
３　中継制御装置
４　図柄制御装置
５　表示灯制御装置
６　音制御装置
１１　図柄表示器
１２　表示灯
１３　スピーカ
１７　当たり外れ抽選手段
１８　当たり外れ抽選知識
１９　予告抽選手段
２０；４２；４３　予告抽選知識
【図１】
2004000527.tif 000003
【図２】
2004000527.tif 000004
【図３】
2004000527.tif 000005
【図４】
2004000527.tif 000006
【図５】
2004000527.tif 000007
【図６】
2004000527.tif 000008
【図７】
2004000527.tif 000009
【図８】
2004000527.tif 000010